(57)【要約】【課題】  商品に係る物品の組み合わせが変更された場合でも、口座内容に表示される商品の画像を簡単に変更することができるようにする。【解決手段】  制御装置が、デジタルカメラによって撮像された物品の画像データファイルを取得する画像データファイル取得部と、画像データファイルを記憶する画像データ記憶部と、複数の画像データファイルが関連付けられた口座を記憶する口座記憶部と、口座記憶部の内容を書き換える口座書換部２５と、タッチパネルディスプレイ３の表示内容を制御する表示制御手段とを有している。表示制御手段が食券選択画面３０に各口座に対応する食券選択ボタン３１を表示させる。食券選択ボタン３１は、対応する口座に関連付けられた画像データファイルの内容が表示される複数のサブ領域３２を含んでいる。【選択図】図４
2007058390.tif 000002
【特許請求の範囲】
【請求項１】
入力装置と、
物品に係る画像データファイルを取得する画像データファイル取得手段と、
前記画像データファイル取得手段が取得した複数の前記画像データファイルを記憶する画像データ記憶手段と、
複数の前記画像データファイルが関連付けられた複数の口座を記憶する口座記憶手段と、
前記口座記憶手段の記憶内容を前記入力装置からの入力信号に従って書き換える口座書換手段と、
表示手段と、
前記口座に関連付けられた複数の前記画像データファイルの内容を前記表示手段における当該口座に割り当てられた表示領域に表示させる表示制御手段と、
使用者が前記表示手段に表示された複数の前記口座から特定の口座を選択するために用いられる選択手段と、
前記選択手段によって選択された前記口座に係るチケットを発券する発券手段とを備えていることを特徴とする発券装置。
【請求項２】
前記画像データファイル取得手段が、デジタルカメラによって撮像された前記画像データファイルを取得するものであることを特徴とする請求項１に記載の発券装置。
【請求項３】
前記表示手段に表示される当該口座の前記表示領域が、各画像データファイルの内容が表示される複数のサブ領域を含んでいることを特徴とする請求項１又は２に記載の発券装置。
【請求項４】
前記表示制御手段が、前記口座に関連付けられた前記画像データファイルの数に応じて前記表示領域の大きさを異ならせることを特徴とする請求項１〜３のいずれかに記載の発券装置。
【発明の詳細な説明】
【技術分野】
【０００１】
本発明は、食券などのチケットを発券する発券装置に関する。
【背景技術】
【０００２】
食券など、様々なチケットを発券する券売機（発券装置）がある。このような券売機には、タッチパネルディスプレイを有し、このタッチパネルディスプレイに発券すべきチケットを選択するための選択ボタン（口座に割り当てられた表示領域）を表示させるものが知られている。そして、この選択ボタン内には、チケットに係る商品の画像が表示されている（例えば、特許文献１参照）。これにより、使用者が商品を勘違いして選択ボタンを押し間違えるのを防止することができる。
【０００３】
【特許文献１】特開２００４−２０６２５１号公報（図１）
【発明の開示】
【発明が解決しようとする課題】
【０００４】
券売機においては、チケットの目的物である商品の内容が変更されることが多い。例えば、食券の場合、週代わりメニューや日替わりメニューなど定期的に商品内容が変更されることがある。上述した券売機の場合、商品が変更されると、選択ボタンに表示される商品の画像も変更しなければならない。このとき、商品が既存の複数の物品により構成されている場合であっても、これらの物品の組み合わせが変更する毎に新たに商品の画像を撮像または作成しなければならいため、商品の変更作業が繁雑になる。
【０００５】
そこで、本発明の主たる目的は、商品に係る物品の組み合わせが変更された場合でも、口座内容に表示される商品の画像を簡単に変更することができる発券装置を提供することである。
【課題を解決するための手段及び効果】
【０００６】
本発明の発券装置は、入力装置と、物品に係る画像データファイルを取得する画像データファイル取得手段と、前記画像データファイル取得手段が取得した複数の前記画像データファイルを記憶する画像データ記憶手段と、複数の前記画像データファイルが関連付けられた複数の口座を記憶する口座記憶手段と、前記口座記憶手段の記憶内容を前記入力装置からの入力信号に従って書き換える口座書換手段とを備えている。さらに、表示手段と、前記口座に関連付けられた複数の前記画像データファイルの内容を前記表示手段における当該口座に割り当てられた表示領域に表示させる表示制御手段と、使用者が前記表示手段に表示された複数の前記口座から特定の口座を選択するために用いられる選択手段とを備えている。そして、前記選択手段によって選択された前記口座に係るチケットを発券する発券手段を備えている。
【０００７】
本発明によると、画像データ記憶手段に記憶された画像データファイルのうち、所望の物品の画像データファイルを所定の口座に関連付けて口座記憶手段に記憶させることによって、表示手段における当該口座の表示領域に所望の物品の画像を表示させることができる。これにより、口座書換手段が口座に関連付けされる画像データファイルを変更するだけで、表示領域に表示される物品の画像の組み合わせが変更される。したがって、表示領域に表示される商品の画像を簡単に変更することができる。
【０００８】
本発明においては、前記画像データファイル取得手段が、デジタルカメラによって撮像された前記画像データファイルを取得するものであってもよい。これによると、物品の画像データファイルを容易に取得することができる。
【０００９】
また、本発明においては、前記表示手段に表示される当該口座の前記表示領域が、各画像データファイルの内容が表示される複数のサブ領域を含んでいることが好ましい。これによると、複数の物品の画像を表示領域内に整然と配置することができる。
【００１０】
さらに、本発明においては、前記表示制御手段が、前記口座に関連付けられた前記画像データファイルの数に応じて前記表示領域の大きさを異ならせることがより好ましい。これによると、口座に関連付けられた画像データファイルの数が多い場合であっても、物品の画像を所望の大きさで表示領域に表示させることができる。
【発明を実施するための最良の形態】
【００１１】
以下、本発明の好適な実施の形態について、図面を参照しつつ説明する。なお、本実施の形態は、食券（チケット）を販売するために用いられる発券装置に本発明を適用した一例である。図１は、発券装置の概略構成図である。図２は、発券装置１の機能ブロック図である。図１及び図２に示すように、発券装置１は、タッチパネルディスプレイ３と、発券部４と、現金処理部５と、制御装置７とを有している。さらに、発券装置１は、商品を撮像するためのデジタルカメラ８が着脱可能となっている。タッチパネルディスプレイ３は、液晶モニタ（表示手段）と液晶モニタの表面に設置されたタッチパネル（入力装置及び選択手段）とが一体化したものである。顧客である使用者は、タッチパネルディスプレイ３の液晶モニタに表示された表示内容に従って液晶モニタの表示画面上に指などを接触（タッチ）させることによって発券装置１を操作することができる。発券部４は、制御装置７からの指示に基づいて、所望の食券を生成するものである。生成された食券は発券口４ａから外部に排出される。現金処理部５は、食券購入時に現金の入出金処理を行うものである。制御装置７は発券装置１全体を制御するものである。
【００１２】
また、図２に示すように、制御装置７は、画像データファイル取得部２１と、画像データ記憶部２２と、口座記憶部２３と、表示制御部２４と、口座書換部２５とを有している。画像データファイル取得部２１は、食券に係る商品を構成する１又は複数の物品の画像データファイルを取得するものである。本実施の形態においては、デジタルカメラ８が、物品（例えば、図１における物品ａ）を撮像すると共に当該物品の画像データファイルを生成する。そして、画像データファイル取得部２１がデジタルカメラ８から画像データファイルを取得する。
【００１３】
画像データ記憶部２２は、画像データファイル取得部２１が取得した画像データファイルを多数記憶するものである。本実施の形態において画像データ記憶部２２に記憶される画像データファイルの内容の一例を図３に示す。図３に示すように、画像データ記憶部２２には、「チキンａ」、「トンカツｂ」、「ライスｃ」、「スープｄ」、「ドリンクｅ」などの画像データファイルが記憶されている。
【００１４】
口座記憶部２３は、発券装置１が発券する各食券の情報、例えば、食券に対応する商品の名称、商品を構成する物品の画像データファイルなどが関連付けられた口座を記憶するものである。本実施の形態においては、画像データファイル「チキンａ」が関連付けられた口座「チキンＡ」と、画像データファイル「トンカツｂ」が関連付けられた口座「トンカツＢ」と、画像データファイル「ライスｃ」が関連付けられた口座「ライスＣ」と、画像データファイル「スープｄ」が関連付けられた口座「スープＤ」と、画像データファイル「ドリンクｅ」が関連付けられた口座「ドリンクＥ」と、画像データファイル「チキンａ」、「ライスｃ」、「スープｄ」及び「ドリンクｅ」が関連付けられた口座「セットＩ」と、画像データファイル「チキンａ」及び「ライスｃ」が関連付けられた口座「セットＪ」と、画像データファイル「トンカツｂ」、「ライスｃ」、「スープｄ」及び「ドリンクｅ」が関連付けられた口座「セットＫ」と、画像データファイル「トンカツｂ」及び「ライスｃ」が関連付けられた口座「セットＬ」との以上９つの食券に対応する９つの口座が口座記憶部２３に記憶されている（図４参照）。
【００１５】
表示制御部２４は、タッチパネルディスプレイ３に表示される内容を制御するものである。表示制御部２４は、使用者が食券を購入するときに、タッチパネルディスプレイ３に食券選択画面を表示させる。食券選択画面について図４を参照しつつ説明する。図４は、表示制御部２４がタッチパネルディスプレイ３に表示させる食券選択画面の一例である。図４に示すように、食券選択画面３０には、口座「チキンＡ」、口座「トンカツＢ」、口座「ライスＣ」、口座「スープＤ」、口座「ドリンクＥ」及び口座「セットＩ」〜口座「セットＬ」に割り当てられた食券選択ボタン（表示領域）３１が表示されている。
【００１６】
食券選択ボタン３１は、対応する口座に関連付けられた画像データファイルの内容が表示されるサブ領域３２を含んでいる。つまり、口座「チキンＡ」が割り当てられた食券選択ボタン３１には画像データファイル「チキンａ」の内容が表示された１つのサブ領域３２が、口座「トンカツＢ」が割り当てられた食券選択ボタン３１には画像データファイル「トンカツｂ」の内容が表示された１つのサブ領域３２が、口座「ライスＣ」が割り当てられた食券選択ボタン３１には画像データファイル「ライスｃ」の内容が表示された１つのサブ領域３２が、口座「スープＤ」が割り当てられた食券選択ボタン３１には画像データファイル「スープｄ」の内容が表示された１つのサブ領域３２が、口座「ドリンクＥ」が割り当てられた食券選択ボタン３１には画像データファイル「ドリンクｅ」の内容が表示された１つのサブ領域３２が、口座「セットＩ」が割り当てられた食券選択ボタン３１には画像データファイル「チキンａ」、「ライスｃ」、「スープｄ」及び「ドリンクｅ」の各内容が表示された４つのサブ領域３２が、口座「セットＪ」が割り当てられた食券選択ボタン３１には画像データファイル「チキンａ」及び「ライスｃ」の各内容が表示された２つのサブ領域３２が、口座「セットＫ」が割り当てられた食券選択ボタン３１には画像データファイル「トンカツｂ」、「ライスｃ」、「スープｄ」及び「ドリンクｅ」の各内容が表示された４つのサブ領域３２が、口座「セットＫ」が割り当てられた食券選択ボタン３１には画像データファイル「トンカツｂ」及び「ライスｃ」の各内容が表示された２つのサブ領域３２がそれぞれ表示されている。
【００１７】
表示制御部２４は、食券選択ボタン３１に表示されているサブ領域３２の数によって、食券選択ボタン３１の大きさ又はサブ領域３２の大きさを異ならせている。つまり、表示制御部２４は、４つのサブ領域３２が表示されている食券選択ボタン３１を、２つのサブ領域３２が表示されている食券選択ボタン３１よりも大きくなるように表示させている。また、表示制御部２４は、食券選択ボタン３１に１つだけ表示されているサブ領域３２を、食券選択ボタン３１に複数表示されているサブ領域３２よりも大きくなるように表示させている。
【００１８】
そして、タッチパネルディスプレイ３に食券選択画面３０が表示されているとき、使用者が、現金処理部５に現金を投入すると共に所望の商品の口座に対応する食券選択ボタン３１をタッチすることによって、発券部４が当該口座に係る食券を生成し発券口４ａから排出する。
【００１９】
口座書換部２５は、口座記憶部２３に記憶された記憶内容を書き換えるものである。具体的には、管理者が、タッチパネルディスプレイ３に口座書換画面を表示させ、さらにタッチパネルディスプレイ３を操作して口座に関連づけられる画像データファイルの変更作業を行ったときに、口座書換部２５は、タッチパネルディスプレイ３からの入力信号に従って口座に関連づけられる画像データファイルを変更する。
【００２０】
次に、管理者が食券選択画面３０を作成するときの処理手順について図５を参照しつつ説明する。図５は、管理者が食券選択画面３０を作成するときの処理手順を示すフローチャートである。管理者が、タッチパネルディスプレイ３を操作して口座書換画面を表示させることによって、図５のフローチャートが開始される。図５に示すように、タッチパネルディスプレイ３に口座書換画面が表示されると、ステップＳ１０１に移行し、管理者が画像データファイル取得部２１に物品の画像データファイルの取得を行わせるか否かを画像データファイル取得部２１が判断する。なお、管理者が画像データファイル取得部２１に物品の画像データファイルの取得を行わせる場合は、発券装置１にデジタルカメラ８を接続しておく必要がある。管理者が画像データファイル取得部２１に物品の画像データファイルの取得を行わせると画像データファイル取得部２１が判断すると（ステップＳ１０１：ＹＥＳ）、ステップＳ１０２に移行し、画像データファイル取得部２１が、デジタルカメラ８によって撮像された物品の画像データファイルを取得する。画像データファイル取得部２１によって取得された画像データファイルは、画像データ記憶部２２に記憶される。管理者が画像データファイル取得部２１に物品の画像データファイルの取得を行わせないと画像データファイル取得部２１が判断すると（ステップＳ１０１：ＮＯ）、ステップＳ１０３に移行し、口座記憶部２３の記憶内容の書き換えを行う。管理者が、タッチパネルディスプレイ３に表示された口座書換画面に基づいて、画像データ記憶部２２に記憶されている画像データファイルを選択し、さらに、選択された画像データファイルが所望の口座に関連付けられるようにタッチパネルディスプレイを操作する。このとき、口座書換部２５が、タッチパネルディスプレイ３からの入力信号に従って、選択された画像データファイルが所望の口座に関連付けられるように口座記憶部２３の記憶内容を書き換える。そして、ステップＳ１０４に移行し、各口座に対応する食券選択ボタン３１及びサブ領域３２の大きさや配置を登録し、食券選択画面３０の作成を完了させる。
【００２１】
以上説明した本実施の形態によると、複数の物品の画像データファイルを所定の口座に関連付けて口座記憶部２３に記憶させることによって、食券選択画面３０における食券選択ボタン３１のサブ領域３２に所望の物品の画像を表示させることができる。したがって、口座書換部２５が口座に関連付けされた画像データファイルを書き換えるだけで、食券選択ボタン３１に表示される物品の画像の組み合わせが変更される。これにより、食券選択ボタン３１に表示される商品の画像を簡単に変更することができる。
【００２２】
また、画像データファイル取得部２１が、デジタルカメラ８によって撮像された画像データファイルを取得するため、物品の画像データファイルを容易に取得することができる。
【００２３】
さらに、食券選択ボタン３１がサブ領域３２を含んでいるため、複数の物品の画像を食券選択ボタン３１内に整然と配置することができる。
【００２４】
加えて、表示制御部２４が、口座に関連付けられた画像データファイルの数に応じて食券選択ボタン３１の大きさを異ならせるため、口座に関連付けられた画像データファイルの数が多い場合であっても、物品の画像を所望の大きさで食券選択ボタン３１に表示させることができる。
【００２５】
以上、本発明の好適な一実施の形態について説明したが、本発明はその趣旨を超えない範囲において変更が可能である。即ち、上述の実施の形態においては、食券選択ボタン３１がサブ領域３２を含む構成であるが、食券選択ボタンがサブ領域を含まず、食券選択ボタンの任意の位置に画像データファイルの内容が表示される構成であってもよい。このとき、物品の画像同士の一部が互いに重なるように配置されていてもよい。
【００２６】
さらに、上述の実施の形態においては、デジタルカメラ８が、物品を撮像すると共に当該物品の画像データファイルを生成し、画像データファイル取得部２１がデジタルカメラ８から画像データファイルを取得する構成であるが、画像データファイル取得部２１が、メモリーカードなどの記録メディアを介して画像データを取得するように構成されていてもよい。また、画像データファイルは、フィルムスキャナなどデジタルカメラ８以外の装置によって生成されてもよい。なお、画像データファイルの内容はイラストであってもよい。
【００２７】
また、上述の実施の形態においては、表示制御部２４が、口座に関連付けられた画像データファイルの数に応じて食券選択ボタン３１又はサブ領域３２の大きさを変更する構成であるが、食券選択ボタン３１又はサブ領域３２の大きさが、画像データファイルの数に関係なく変更できる構成であってもよい。例えば、おすすめメニューなど特定商品に係る食券選択ボタン３１のみを大きく表示させる構成であってもよい。また、食券選択ボタン３１又はサブ領域３２の大きさが、画像データファイルの数に係わらず、食券選択ボタン３１又はサブ領域３２の大きさが固定されていてもよい。
【００２８】
さらに、上述の実施の形態においては、発券装置１が、表示手段と選択手段とが一体化したタッチパネルディスプレイ３を有する構成であるが、表示手段と選択手段とが分離した構成であってもよい。例えば、発券装置が通常の液晶ディスプレイと操作パネルとを有する構成であってもよい。
【００２９】
加えて、上述の実施の形態においては、タッチパネルディスプレイ３が、食券選択画面３０を作成するために管理者が操作する入力装置を兼ねる構成であるが、このような入力装置がタッチパネルディスプレイ３以外のものであってもよい。
【００３０】
上述の実施の形態には、食券のチケットを発券する発券装置１に本発明を適用した一例が示されているが、コンサートのチケットなど他のチケットを発券する装置にも適用可能である。
【図面の簡単な説明】
【００３１】
【図１】本発明に係る実施の形態である発券装置の概略構成図である。
【図２】図１に示す発券装置の機能ブロック図である。
【図３】図２に示す画像データ記憶部に記憶される画像データファイルの内容の一例を示す図である。
【図４】図１に示すタッチパネルディスプレイに表示される食券選択画面の一例を示した図である。
【図５】図４に示す食券選択画面を作成するときの処理手順を示すフローチャートである。
【符号の説明】
【００３２】
１     発券装置
３     タッチパネルディスプレイ
４     発券部
４ａ   発券口
５     現金処理部
７     制御装置
８     デジタルカメラ
２１   画像データファイル取得部
２２   画像データ記憶部
２３   口座記憶部
２４   表示制御部
２５   口座書換部
３０   食券選択画面
３１   食券選択ボタン
３２   サブ領域
【図１】
2007058390.tif 000003
【図２】
2007058390.tif 000004
【図３】
2007058390.tif 000005
【図４】
2007058390.tif 000006
【図５】
2007058390.tif 000007